(57)【要約】      （修正有）【課題】読取った識別情報が予め印鑑に登録した押印許可を示す識別番号と一致する場合に押印できる状態にすることにより誤承認する確率を少なくし、さらに押印した決済を自動的に記憶させる機能を付加することにより承認と決済を管理する高機能印鑑とそのシステムを提供する。【解決手段】ＲＦ−ＩＤチップ１３を埋め込んだ文書１１に押印する高機能印鑑２１において、高機能印鑑２１がＲＦ−ＩＤチップ１３より、当該識別情報を読み取り、読取った識別情報が予め高機能印鑑２１に登録した押印許可するための印鑑識別情報と一致する場合、押印できる高機能印鑑２１とそのシステムである。【選択図】図１
2008250692.tif 000002
【特許請求の範囲】
【請求項１】
ＲＦ−ＩＤチップを埋め込んだ文書に押印する高機能印鑑において、
押印許可を識別するための承認者識別番号と前記文書の種類を示す書類固有番号から構成される識別情報を前記ＲＦ−ＩＤチップから交信信号として交信用アンテナを介し受信し、前記交信信号から識別情報を抽出する印鑑内蔵型リーダ部と、
前記印鑑内蔵型リーダ部から転送される前記識別情報と予め前記高機能印鑑に記録した押印許可をするための印鑑識別情報が一致しているかを判定し、一致しているときに押印許可信号を出力する制御部と、
前記押印許可信号を受信して利用者に押印許可を表示する押印許可表示部と、
を具備することを特徴とする高機能印鑑。
【請求項２】
前記制御部は、
前記印鑑識別情報を記録するメモリと、
前記識別情報と前記印鑑識別情報が一致していることを判定する判定部と、
を具備することを特徴とする請求項１に記載の高機能印鑑。
【請求項３】
押印すると前記ＲＦ−ＩＤチップから読み取った書類固有番号を前記メモリに記録することを特徴とする請求項２に記載の高機能印鑑。
【請求項４】
前記高機能印鑑は、
前記制御部の前記メモリに記録された前記書類固有番号をメモリ内容転送信号としてメモリ内容転送用アンテナを介して外部装置に送信するメモリ内容送信部を備えることを特徴とする請求項２または３に記載の高機能印鑑。
【請求項５】
前記高機能印鑑内に時計機能を備えた時計回路を内蔵し、前記文書に押印をしたときに前記押印許可信号に基づいて前記時計回路から押印時刻を取得して前記メモリまたは前記文書のＲＦ−ＩＤチップのメモリに記録することを特徴とする請求項１〜４のいずれか１項に記載の高機能印鑑。
【請求項６】
前記高機能印鑑に複数の印字面を備え、
前記メモリに予め記録した印字パターン識別番号により印字面を選択することを特徴とする請求項１〜５のいずれか１項に記載の高機能印鑑。
【請求項７】
前記高機能印鑑に可変パターン印字面と、
前記メモリに予め記録した印字パターン識別番号により印字パターンを選択する可変パターン制御部と、
を具備することを特徴とする請求項１〜５のいずれか１項に記載の高機能印鑑。
【請求項８】
前記可変パターン制御部は印刷部を備え、インクジェット方式により構成される前記印刷部の印刷を制御することを特徴とする請求項７に記載の高機能印鑑。
【請求項９】
前記文書に押印する際に前記高機能印鑑に対して上下運動するリングを前記印字面の前面に配設し、前記高機能印鑑に内蔵された発電機に接続される前記リングと繋がるアームにより運動エネルギーを前記発電機へ伝達して発電し当該高機能印鑑の電源とすることを特徴とする請求項１〜８のいずれか１項に記載の高機能印鑑。
【請求項１０】
前記高機能印鑑の印字面が前記文書への押印時に接触しないようにするロック部を備えたストッパ部を配設し、前記押印許可信号を前記ストッパ駆動部が受信すると前記ロック
部のロックを解除して押印可能にすることを特徴とする請求項１〜９のいずれか１項に記載の高機能印鑑。
【請求項１１】
前記識別情報に前記文書の有効期限を示す期限情報を有するときは前記期限情報も前記メモリに記録することを特徴する請求項１に記載の高機能印鑑。
【請求項１２】
前記メモリ内容転送信号に前記期限情報を含めてメモリ内容転送用アンテナを介して外部装置に送信するメモリ内容送信部を備えることを特徴とする請求項１１に記載の高機能印鑑。
【請求項１３】
少なくとも承認者識別番号と書類固有番号から構成される識別情報を記録したＲＦ−ＩＤチップが埋め込まれている文書と、
前記識別情報を交信信号として前記ＲＦ−ＩＤチップから送信し、前記交信信号を交信用アンテナを介して受信して識別情報を抽出する印鑑内蔵型リーダ部と、前記印鑑内蔵型リーダ部から転送される前記識別情報と予め前記高機能印鑑に記録した押印許可をするための印鑑識別情報が一致しているかを判定し、一致しているときに押印許可信号を出力するとともに前記書類固有番号をメモリに記録する制御部と、前記押印許可信号を受信して利用者に押印許可が出たことを通知する押印許可表示部と、前記制御部の前記メモリに記録された前記書類固有番号をメモリ内容転送信号としてメモリ内容転送用アンテナを介して外部に送信するメモリ内容送信部を備える前記高機能印鑑と、
前記メモリに記録した少なくとも前記書類固有番号を有する情報を、メモリ内容送信部から読み出すために記録内容要求信号を送信し、その後前記情報を読み込むリーダ装置と、
前記リーダ装置に接続され、前記情報を記録するデータ処理装置と、
を具備することを特徴とする高機能印鑑のシステム。
【請求項１４】
前記押印をしたときに前記押印許可信号に基づいて時計回路から押印時刻を取得し前記高機能印鑑に記録するとともに、前記印鑑内蔵型リーダ部から前記交信用アンテナを介して押印時刻を送信して前記文書に埋め込まれたメモリ付きＲＦ−ＩＤチップのメモリに記録することを特徴とする請求項１３に記載の高機能印鑑のシステム。
【請求項１５】
前記高機能印鑑は複数の印字面を備え、
前記メモリに予め記録した印字パターン識別番号と予め前記文書に埋め込まれた前記ＲＦ−ＩＤチップに記録した文書印字パターン識別番号の組み合わせにより印字面を選択することを特徴とする請求項１３または１４に記載の高機能印鑑のシステム。
【請求項１６】
前記高機能印鑑に可変パターン印字面を備え、
前記メモリに予め記録した印字パターン識別番号と予め前記文書に埋め込まれた前記ＲＦ−ＩＤチップに記録した文書印字パターン識別番号の組み合わせにより印字パターンを選択する可変パターン制御部と、
を具備することを特徴とする請求項１３または１４に記載の高機能印鑑のシステム。
【請求項１７】
前記可変パターン制御部は印刷部を備え、インクジェット方式により印刷をする前記印刷部を制御することを特徴とする請求項１６に記載の高機能印鑑のシステム。
【請求項１８】
前記高機能印鑑と前記ＲＦ−ＩＤチップは、高電力でキャリアを発する非接点電力伝送装置を備えるスタンプ台から電力供給を受けることを特徴とする請求項１３〜１７のいずれか１項に記載の高機能印鑑のシステム。
【請求項１９】
前記ＲＦ−ＩＤチップを埋め込んだ前記文書は、前記ＲＦ−ＩＤチップを構成する回路の一部である線材を前記文書に埋め込む構成であることを特徴とする請求項１３〜１８のいずれか１項に記載の高機能印鑑のシステム。
【請求項２０】
前記ＲＦ−ＩＤチップを前記文書から取り出すと前記ＲＦ−ＩＤチップ内部の状態が変化したことを、前記高機能印鑑が判定することを特徴とする請求項１９に記載の高機能印鑑のシステム。
【発明の詳細な説明】
【技術分野】
【０００１】
本発明は、ＲＦ−ＩＤ（Radio Frequency Identification）チップを埋め込んだ紙などに押印し、押印記録、押印者認証を行なう高機能印鑑とそのシステムに関する。
【背景技術】
【０００２】
従来、組織内で承認が必要となる書類には押印欄が設けられ、この押印欄に承認者が押印を行うことにより、その書類に記載された内容が承認されたことになる仕組みが一般的に用いられている。
【０００３】
今日ではＲＦ−ＩＤチップを用いて、押印記録、押印者認証を行なう提案がされている。例えば、図１１に示すようなシステムが提案されている。図１１はＲＦ−ＩＤチップを埋め込んだ紙１１１により決済を行うシステムの構成を示した図である。従来のシステム１１０は、ＲＦ−ＩＤチップ１１３を埋め込んだ紙である文書１１１、ＲＦ−ＩＤリーダ１１４、データ処理装置１１５（確認表示機能を有する）などから構成されている。
【０００４】
紙１１１には押印欄１１２があり、ＲＦ−ＩＤチップ１１３などを備えた構成である。本システム１１０は紙１１１に埋め込まれたＲＦ−ＩＤチップ１１３の識別番号をＲＦ−ＩＤリーダ１１４が読み出してデータ処理装置１１５に送る。その後データ処理装置１１５で判定され、押印許可通知の表示、または表示された識別番号から責任者が判断してＲＦ−ＩＤチップ１１３を埋め込んだ紙１１１に押印を行う構成となっている。
【０００５】
ところが、上記のような承認方法では押印可否の判断を責任者が単独でチェックして押印するため、誤った書類に押印してしまうという問題がある。
また、上記構成により押印した書類の記録をするためには責任者が別に記録用紙を用意し記述しなければならないという問題がある。
【０００６】
また、上記高機能印鑑は、基本的に印字される印鑑の押印パターンを見て、認証を行なうものであるため、判定は真偽の２つの判定であり、日付管理、本人認証等の管理はできないという問題がある。
【０００７】
また、特許文献１によれば、固有のＩＤ番号情報を記憶する記憶手段と、記憶されたＩＤ番号情報を含む電波を送信する短距離無線通信手段とを具備する電子印鑑と、ＩＤ番号情報を含む電波を受信する手段と、受信した電波からＩＤ番号情報を抽出する手段と、抽出されたＩＤ番号情報を通信ネットワークを介して伝送する手段とを具備する情報端末装置と、固有のＩＤ番号情報を保管しかつ情報端末装置から伝送されたＩＤ番号情報に対し認証処理を実行する認証サーバが提案されている。
【０００８】
特許文献２によれば、印鑑によって捺印される文書に、文書を識別可能なチップＩＤが書き込まれて非接触状態にて情報の読み出しが可能なＲＦ−ＩＤチップ１を漉き込んでおき、印鑑にて、文書への捺印時に、ＲＦ−ＩＤチップからチップＩＤを読み取り、ＲＦ−ＩＤチップから読み取ったチップＩＤと、印鑑を識別可能な印鑑ＩＤとを管理サーバに送信し、管理サーバにてチップＩＤと印鑑ＩＤとを対応づけて管理する提案がされている。
【０００９】
しかしながら、上記特許文献１、２では管理サーバなどに印鑑の識別番号、文書の識別番号を送信し、管理サーバにより承認の確認をしていたためシステムの規模が増大するとともに、管理サーバなどを介さずにローカルで認証ができないという問題がある。
【特許文献１】特開２００２−３２４２１６号公報
【特許文献２】特開２００６−１３９５６８号公報
【発明の開示】
【発明が解決しようとする課題】
【００１０】
本発明は上記のような実情に鑑みてなされたものであり、読取った識別情報が予め印鑑に登録した押印許可を示す識別番号と一致する場合に押印できる状態にすることにより誤承認する確率を少なくし、さらに押印した決済を自動的に記憶させる機能を付加することにより承認と決済を管理する高機能印鑑とそのシステムを提供することを目的とする。
【課題を解決するための手段】
【００１１】
本発明の態様のひとつであるＲＦ−ＩＤチップを埋め込んだ文書に押印する高機能印鑑において、押印許可を識別するための承認者識別番号と前記文書の種類を示す書類固有番号から構成される識別情報を前記ＲＦ−ＩＤチップから交信信号として交信用アンテナを介し受信し、前記交信信号から識別情報を抽出する印鑑内蔵型リーダ部と、前記印鑑内蔵型リーダ部から転送される前記識別情報と予め前記高機能印鑑に記録した押印許可をするための印鑑識別情報が一致しているかを判定し、一致しているときに押印許可信号を出力する制御部と、前記押印許可信号を受信して利用者に押印許可を表示する押印許可表示部と、を具備する構成である。
【００１２】
上記構成により、押印者に押印時に通知が可能になるとともに、押印をチェックまたは印字を抑止することが可能となる。このため、二重チェックによる精度を上げながら、さらに大量の決済の押印などを正確に短時間で実現することが可能となる。
【００１３】
また、応用例として、物流に関する大量決済書類の半自動処理化が可能になる。
また、役所等における決済、承認など厳密な書類審査と正確な決済処理が可能となる。
特にタイムスタンプ機能は印鑑とＲＦ−ＩＤチップを埋め込んだ紙の２つだけに絶対時刻が書かれることから、セキュリティー機能を強化することができる。
【００１４】
好ましくは、前記制御部は、前記印鑑識別情報を記録するメモリと、前記識別情報と前記印鑑識別情報が一致していることを判定する判定部と、を具備してもよい。
好ましくは、前記高機能印鑑は、前記制御部の前記メモリに記録された前記書類固有番号をメモリ内容転送信号としてメモリ内容転送用アンテナを介して外部装置に送信するメモリ内容送信部を備える構成としてもよい。
【００１５】
好ましくは、押印すると前記ＲＦ−ＩＤチップから読み取った書類固有番号を前記メモリに記録する構成としてもよい。
好ましくは、前記高機能印鑑内に時計機能を備えた時計回路を内蔵し、前記文書に押印をしたときに前記押印許可信号に基づいて前記時計回路から押印時刻を取得して前記メモリまたは前記文書のＲＦ−ＩＤチップのメモリに記録する構成としてもよい。
【００１６】
好ましくは、前記高機能印鑑に複数の印字面を備え、前記メモリに予め記録した印字パターン識別番号により印字面を選択することができる構成であってもよい。
好ましくは、前記高機能印鑑に可変パターン印字面と、前記メモリに予め記録した印字パターン識別番号により印字パターンを選択する可変パターン制御部と、を具備する構成である。
【００１７】
好ましくは、前記可変パターン制御部は印刷部を備え、インクジェット方式により構成される前記印刷部の印刷を制御する構成である。
好ましくは、前記高機能印鑑に押印する際に前記高機能印鑑に対して上下運動するリングを前記印字面の前面に配設し、前記高機能印鑑に内蔵した発電機に接続される前記リン
グと繋がるアームにより運動エネルギーを前記発電機へ伝達して発電し当該高機能印鑑の電源とする構成でもよい。
【００１８】
好ましくは、前記高機能印鑑の印字面が前記文書への押印時に接触しないようにするロック部を備えたストッパ部を配設し、前記押印許可信号を前記ストッパ駆動部が受信すると前記ロック部のロックを解除して押印可能にする構成としてもよい。
【００１９】
好ましくは、前記識別情報に前記文書の有効期限を示す期限情報を有するときは前記期限情報も前記メモリに記録してもよい。
好ましくは、前記メモリ内容転送信号に前記期限情報を含めてメモリ内容転送用アンテナを介して外部装置に送信するメモリ内容送信部を備えてもよい。
【００２０】
本発明の他の態様のひとつである少なくとも承認者識別番号と書類固有番号から構成される識別情報を記録したＲＦ−ＩＤチップが埋め込まれている文書と、
前記識別情報を交信信号として前記ＲＦ−ＩＤチップから送信し、前記交信信号を交信用アンテナを介して受信して識別情報を抽出する印鑑内蔵型リーダ部と、前記印鑑内蔵型リーダ部から転送される前記識別情報と予め前記高機能印鑑に記録した押印許可をするための印鑑識別情報が一致しているかを判定し、一致しているときに押印許可信号を出力するとともに前記書類固有番号をメモリに記録する制御部と、前記押印許可信号を受信して利用者に押印許可が出たことを通知する押印許可表示部と、前記制御部の前記メモリに記録された前記書類固有番号をメモリ内容転送信号としてメモリ内容転送用アンテナを介して外部に送信するメモリ内容送信部を備える前記高機能印鑑と、
前記メモリに記録した少なくとも前記書類固有番号を有する情報を、メモリ内容送信部から読み出すために記録内容要求信号を送信し、その後前記情報を読み込むリーダ装置と、
前記リーダ装置に接続され、前記情報を記録するデータ処理装置と、を具備する構成である。
【００２１】
上記構成にすることで、外部に高機能印鑑のメモリ内容が転送できるため押印時に記録したログを管理することができる。
好ましくは、前記押印をしたときに前記押印許可信号に基づいて時計回路から押印時刻を取得し前記高機能印鑑に記録するとともに、前記印鑑内蔵型リーダ部から前記交信用アンテナを介して押印時刻を送信して前記文書に埋め込まれたメモリ付きＲＦ−ＩＤチップのメモリに記録する構成である。
【００２２】
好ましくは、前記高機能印鑑は複数の印字面を備え、前記メモリに予め記録した印字パターン識別番号と予め前記文書に埋め込まれた前記ＲＦ−ＩＤチップに記録した文書印字パターン識別番号の組み合わせにより印字面を選択してもよい。
【００２３】
好ましくは、前記高機能印鑑に可変パターン印字面を備え、前記メモリに予め記録した印字パターン識別番号と予め前記文書に埋め込まれた前記ＲＦ−ＩＤチップに記録した文書印字パターン識別番号の組み合わせにより印字パターンを選択する可変パターン制御部と、を具備する構成であってもよい。
【００２４】
上記システム構成により、押印者に押印時に通知が可能になるとともに、押印をチェックまたは印字を抑止することが可能となる。このため、二重チェックによる精度を上げながら、さらに大量の決済の押印などを正確に短時間で実現することが可能となる。
【００２５】
また、応用例として、物流に関する大量決済書類の半自動処理化が可能になる。
また、役所等における決済、承認など厳密な書類審査と正確な決済処理が可能となる。
特にタイムスタンプ機能は印鑑とＲＦ−ＩＤチップを埋め込んだ紙の２つだけに絶対時刻が書かれることから、セキュリティー機能を強化することができる。
【００２６】
好ましくは、前記可変パターン制御部は印刷部を備え、インクジェット方式により印刷をする前記印刷部の制御する構成でもよい。
好ましくは、前記高機能印鑑と前記ＲＦ−ＩＤチップは、高電力でキャリアを発する非接点電力伝送装置を備えるスタンプ台から電力供給を受ける構成でもよい。
【００２７】
好ましくは、前記ＲＦ−ＩＤチップを埋め込んだ前記文書は、前記ＲＦ−ＩＤチップを構成する回路の一部である線材を前記文書に埋め込む構成であってもよい。
好ましくは、前記ＲＦ−ＩＤチップを前記文書から取り出すと前記ＲＦ−ＩＤチップ内部の状態が変化したことを、前記高機能印鑑が判定してもよい。
【発明の効果】
【００２８】
本発明によれば、読取った識別情報が予め印鑑に登録した押印許可を示す識別情報と一致する場合に押印できる状態にすることにより誤承認する確率を少なくすることができる。
【００２９】
さらに、押印した決済を自動的に記憶させる機能を付加することにより承認と決済を管理することができる。
【発明を実施するための最良の形態】
【００３０】
以下図面に基づいて、本発明の実施形態について詳細を説明する。
（実施例１）
図１は実施例１の高機能印鑑とそのシステム１０の構成を示すブロック図である。システム１０は、文書１１、高機能印鑑２１、リーダ装置２９、データ処理装置２１０（確認表示機能を有する）などから構成される。
【００３１】
ＲＦ−ＩＤチップ１３を埋め込んだ文書１１は押印欄１２を有している。ここで、文書１１は紙などでもよいが特に限定するものではなく合成樹脂、天然樹脂、複合材料を用いてもよい。
【００３２】
文書１１にはＲＦ−ＩＤチップ１３が設けられ、この文書１１に押印を行う高機能印鑑２１が近づくと（押印時）、ＲＦ−ＩＤチップ１３に書き込まれた識別情報が高機能印鑑２１で読み取ることができる。
【００３３】
押印欄１２は押印する場所を特定するものであり、押印をする者が複数いるときは複数の押印欄を設ける。
ＲＦ−ＩＤチップ１３には、固有の識別情報が書き込まれた記憶部や制御部からなる回路から構成されている。この記憶部に記憶された識別情報を非接触状態で読み取ることができるとともに、記憶部に情報を非接触状態で書き込むことができる。また、アンテナが内蔵されており、高機能印鑑２１の情報読取／書込用のアンテナが近接することにより、上記記憶部に書き込まれた識別情報を読み取ることができる。ここで、識別情報とは押印欄ごとに設けられた識別番号であり、押印が許可される押印者を識別するための情報である。また、ＲＦ−ＩＤチップ１３は押印欄１２に対応するように設けられ、押印欄１２に対してひとつのＲＦ−ＩＤチップ１３を設けてもよいし、何人かまとめて１つのＲＦ−ＩＤチップ１３に識別情報を記録してもよい。
【００３４】
図２はＲＦ−ＩＤチップ１３に記録する識別情報の例を示したものである。ＲＦ−ＩＤチップ１３には、「承認者権限」「書類固有番号」「期限」などを示すコードが書き込ま
れている。「承認者権限」には押印欄に押印できる押印者の承認者識別番号が記録されている。「期限」には文書１１が有効である期間が期限情報として記録されている。図２の例では「20070101:20070331」は２００７年１月１日〜２００７年３月３１日を示している。「書類固有番号」には文書１１がどのような書類であるかを識別するためのコードが記録されている。例えば、承認図（仕様書）に対応する文書が「bunnsho1」であれば図２のように押印者識別番号に対応付けて記録されている。
【００３５】
図１に示す高機能印鑑２１は、印鑑内蔵型リーダ部２２、交信用アンテナ２３、制御部２４、印字面２５、押印許可ランプ２６、メモリ内容送信部２７、メモリ内容転送用アンテナ２８などから構成されている。ここで、高機能印鑑２１には電力源として電池が内蔵されている。
【００３６】
高機能印鑑２１は、文書１１に埋め込んであるＲＦ−ＩＤチップ１３と交信し識別情報を検出する。また、高機能印鑑２１にＲＦ−ＩＤチップ１３から取得した識別情報を、データ処理装置２１０（ＰＣ、サーバ）と接続されたリーダ装置２９に送信することができる。
【００３７】
印鑑内蔵型リーダ部２２は文書１１に埋め込まれたＲＦ−ＩＤチップ１３から交信用アンテナ２３を介して識別情報の読み取りを行い制御部２４に設けられたメモリに書き込みを行う。
【００３８】
制御部２４は、メモリと判定部を備えている。メモリは印鑑識別情報、識別情報（ＲＦ−ＩＤチップ１３から取得したデータ）などを格納する記憶素子である。例えば、ＲＡＭやＲＯＭなどである。印鑑識別情報は高機能印鑑の所有者の識別番号である。また、判定部は押印許可の判定を行う回路でＣＰＵまたは論理演算処理（ディジタル回路）などにより構成することができる。なお、判定部はメモリ内容送信部２７などに設けてもよい。
【００３９】
印字面２５には承認を行う押印者の氏名が刻まれている。または用途に合わせた押印ができるように印刷機能を備えている。
メモリ内容送信部２７には制御部２４のメモリに記録したデータを上記リーダ装置２９にメモリ内容転送用アンテナ２８を介して送信する。
【００４０】
押印許可表示部２６は、文書１１のＲＦ−ＩＤチップ１３に記録されている識別情報の押印者識別番号と印鑑識別情報に基づいて押印が許可されたときに点灯する。例えば、表示部はＬＥＤなどを用いて制御部２４から制御することで点滅制御する構成である。
【００４１】
次に、図３にフロー図を示し高機能印鑑２１の動作について説明する。
ステップＳ３１では文書１１に設けられたＲＦ−ＩＤチップ１３から通信認証処理をする。ここで、通信認証処理はＲＦ−ＩＤチップ１３と高機能印鑑２１間で通信を開始するために行う手続きをする処理である。ＲＦ−ＩＤチップ１３に高機能印鑑２１が近づくと、高機能印鑑２１の印鑑内蔵型リーダ部２２から交信用アンテナ２３を介してＲＦ−ＩＤチップ１３に信号（例えば、暗号化信号）が送信される。受信したＲＦ−ＩＤチップ１３から返信があるとその通信内容に基づいて認証が行われる。
【００４２】
ステップＳ３２では通信認証が判定される。ステップＳ３１により認証が取れた場合にはステップＳ３３に移行する。認証されない場合は再度認証をとるためステップＳ３１の処理を行う。
【００４３】
ステップＳ３３では文書１１に設けられたＲＦ−ＩＤチップ１３から送信される交信信号により識別情報を取得する。高機能印鑑２１はＲＦ−ＩＤチップ１３から識別情報を取
得し承認者識別番号を抽出する。
【００４４】
ステップＳ３４では制御部２４の判定部で印鑑識別番号と承認者識別番号を比較する。高機能印鑑２１のメモリに記録されている印鑑識別番号と承認者識別番号が一致していればステップＳ３５に移行する。一致しない場合はステップＳ３１に移行するか、再度比較を行う。数回比較しても一致しない場合にはステップＳ３１に移行する。
【００４５】
ステップＳ３５では押印許可信号が押印許可表示部２６に入力されランプ（ＬＥＤなど）を点灯させる。
ステップＳ３６では高機能印鑑２１のメモリに取得した識別情報を記録する。ステップＳ３６では少なくとも「書類固有番号」を記録する。図４に示すメモリ構造では「書類固有番号」と「押印日付」も示している。ここで、メモリにはｎ個（ｎ：整数）の書類固有番号に関連するデータが記録することができる。
【００４６】
上記のように高機能印鑑２１がＲＦ−ＩＤチップ１３から識別情報を取得して印鑑識別番号と承認者識別番号が一致することで押印許可を利用者に通知することができる。また、メモリに押印した文書を記録することもできる。
【００４７】
次に、高機能印鑑２１からデータ処理装置２１０に接続されたリーダ装置２９を介してメモリに記録したデータを送信する動作について説明する。
ステップＳ３７ではリーダ装置２９と高機能印鑑２１間で通信認証処理をする。高機能印鑑２１をリーダ装置２９を近づけると、リーダ装置２９から送信される信号をメモリ内容転送用アンテナ２８を介してメモリ内容送信部２７は受信して、認証処理を行う。
【００４８】
ステップＳ３８では通信認証が判定される。ステップＳ３７により認証が取れた場合にはステップＳ３９に移行する。認証されない場合は処理を中止するか再度認証をとるためステップＳ３７の処理を行う。
【００４９】
ステップＳ３９では高機能印鑑２１のメモリ内容をリーダ装置２９にメモリ内容転送信号（複数の文書ごとに取得した情報）により転送する。制御部２４のメモリに記録した押印した文書の書類固有番号と関連する情報を、リーダ装置２９から記録内容要求信号が送信されると速やかに、メモリ内容送信部２７から送出する。このときメモリにデータが複数あれば全てのデータを送信する。
【００５０】
ステップＳ３１０ではリーダ装置２９がステップＳ３９で受信したメモリ内容転送信号によりメモリ内容がデータ処理装置２１０に記録される。例えば、データ処理装置２１０のデータベースに記録する。
【００５１】
上記構成により、例えば決済書類が適合する識別情報である場合、押印許可表示部２６にランプが点灯する。このように、高機能印鑑２１が押印許可チェックを行うので、高機能印鑑を利用する利用者が押印間違いをする確率を少なくすることができる。
【００５２】
また、このようにすることにより、押印した決済等を自動的に記憶させ、外部に通知することが可能となる。
（実施例２）
図５は実施例２における押印防止機構を備えた高機能印鑑３１の構成を示す図である。高機能印鑑３１は、実施例１で説明した高機能印鑑２１にストッパ機能を付加した高機能印鑑である。高機能印鑑３１は、ストッパ部３２、ストッパ駆動部３３を備えている。
【００５３】
ストッパ部３２は印字面２５の手前に配置され、制御部２４の判定部で押印許可されな
い場合に押印できないようにする機構である。
ストッパ駆動部３３は制御部２４の判定部から押印許可の通知を受信するとストッパ部３２のロック部３４を解除して押印できるようにする。また、ストッパ駆動部３３は機械的に上方向に引き上げる機構であってもよいし、ロック部３４が両矢印Ａ方向に稼動できるようにしてストッパ部３２を貫通する高機能印鑑３１の上下方向の移動を止めてもよい。
【００５４】
なお、ロック部３４の解除とともに押印許可がされると押印許可表示部２６のランプも点灯する。
上記構成により押印しようとしても、承認されない場合は押印されないため、誤って押印することがなくなる。
【００５５】
（実施例３）
図６は実施例１または２にタイムスタンプ機能を付加した高機能印鑑４１の構成を示した図である。図６では高機能印鑑４１は実施例１の高機能印鑑に時計回路４２が組み込まれている。また、文書１１に埋め込まれるＲＦ−ＩＤチップ４３にはメモリが追加されている。
【００５６】
高機能印鑑４１は時計回路４２が組み込まれ、常に絶対時刻が刻まれている。ここで、時計回路４２は時計ＩＣや電波時計を用いる。電波時計を使用する場合には交信用アンテナ２３、メモリ内容転送用アンテナ２８とは別に時計用アンテナを設ける必要がある。また、時計回路４２は押印時間を測定してその押印時間を制御部２４に設けられたメモリに記録する。
【００５７】
次に、高機能印鑑４１の動作について説明する。
まず、高機能印鑑４１とメモリ付きＲＦ−ＩＤチップ４３の間で認証通信をする。ＲＦ−ＩＤチップ４３を埋め込んだ文書１１の通信認証の確認を行った後、押印許可がされ押印許可表示部２６が点灯する。押印すると、識別情報と押印時間が高機能印鑑４１のメモリに記憶させる。
【００５８】
同時に、メモリ付きＲＦ−ＩＤチップ４３は押印されたことを記録してもよい。また、高機能印鑑４１から押印された絶対時刻をＲＦ−ＩＤチップ４３に同時に通知して絶対時刻を記憶してもよい。
【００５９】
上記構成により、高機能印鑑４１内のメモリまたはメモリ付きＲＦ−ＩＤチップ４３に絶対時刻が記憶され、決済した時刻が高機能印鑑４１内に記憶されることになる。また、ＲＦ−ＩＤチップ４３を埋め込んだ文書１１にも絶対時刻が記憶され、押印による印字以外に時刻が電子的に記憶することができる。
【００６０】
（実施例４）
図７はＲＦ−ＩＤチップ１３を埋め込んだ文書１１の識別情報に基づいて、印字パターンを変化させる高機能印鑑５１の構成例を示した図である。
【００６１】
高機能印鑑５１は、実施例１の高機能印鑑に可変パターン印字面５２、可変パターン制御部５３を追加した構成である。ここで、印字パターンを可変させる機能は実施例２、３に搭載してもかまわない。
【００６２】
パターンの可変方法は、例えば機械的に行う場合は、可変パターン印字面５２として２種類のパターンを予め印字面（板状）の表面と裏面に用意し、必要に応じて表面と裏面のパターンを回転させて選択する。なお、図７に示すＡ面とＢ面の両方に上記印字面を設け
ることで４種類のパターンを選択することができる。
【００６３】
また、電子的にパターンを可変する場合にはインクジェット方式、バブルジェット（登録商標）方式などの印刷方式により印字パターンを複数可変することができる。
次に、パターンの選択をする場合について説明する。
【００６４】
図７に示す印字パターン（ＩＤ：１１〜１Ｃ）は可変パターン制御部５３に設けられたメモリに記録されている。また、可変パターン制御部５３には印字パターンを識別するための印字パターン識別番号が記録されており、印字パターン識別番号は「１１」〜「１Ｃ」であれば上位「１」が格納されている。
【００６５】
文書１１に埋め込まれたメモリ付きＲＦ−ＩＤチップ５５にも文書用の印字パターン識別番号である文書印字パターン識別番号がメモリに記録され、例えば、「１１」〜「１Ｃ」であれば下位「１」〜「Ｃ」が格納されている。
【００６６】
高機能印鑑２１が近づくと、高機能印鑑５１の印鑑内蔵型リーダ部２２から交信用アンテナ２３を介してＲＦ−ＩＤチップ５５に信号（例えば、暗号化信号）が送信される。受信したＲＦ−ＩＤチップ１３から返信があるとその通信内容に基づいて認証が行われる。その後、文書１１に設けられたＲＦ−ＩＤチップ５５から送信される交信信号により識別情報とともに文書印字パターン識別番号を取得する。そして、可変パターン制御部５３のメモリに記録された複数のパターンの中から上記印字パターン識別番号と文書印字パターン識別番号により一意的に選択されるパターンを抽出して電子的に印字を開始する。
【００６７】
ここで、印字は例えば可変パターン制御部５３に印刷部を設けて印刷を行う。
同様に機械的な場合にも同じ選択方法によりどの印字面を選択するかを決める。
（実施例５）
図８は発電部を追加した高機能印鑑６１の構成を示した図である。高機能印鑑６１は、印字面２５の手前にあって、発電の際に発電機のアーム６４を機械的に回転させて動力を生み出すリング６２と、発電機６３を追加した構成である。押印するとき、印字面の前面にあるリング６２を押し上げるエネルギーを発電機６３に接続されるアーム６４を利用して伝達して発電をする。この発電された電力は印鑑内蔵型リーダ部２２、交信用アンテナ２３、制御部２４、印字面２５、押印許可表示部２６、メモリ内容送信部２７、メモリ内容転送用アンテナ２８などの回路に供給される。また、電力供給は全ての回路にしなくてもよく必要な回路にだけ供給してもよい。
【００６８】
上記構成により、電池を印鑑内に置くことなく通信、判定、印字抑止を行うことが可能とる。
（実施例６）
上記実施例１〜４で説明した高機能印鑑は電池を内蔵し、実施例５の高機能印鑑は発電部を備えている。図９に示す実施例６ではスタンプ台７２に非接点電力伝送装置７３を備えることにより、押印時スタンプ台７２に高機能印鑑７１を近づけると高機能印鑑７１に電力供給がされる。
【００６９】
また、充電できる充電式電池を備えて近づけたときに充電を行うことが可能である。
（実施例７）
図１０に示すＲＦ−ＩＤチップ１０１とＲＦ−ＩＤチップ１０１の回路の一部である線材１０２をともに埋め込んだ文書１００（印字できればよく、例えば紙、合成材料、天然材料、複合材料）の構成を示している。
【００７０】
本発明の特徴は、ＲＦ−ＩＤチップ１０１を取り外すとＲＦ−ＩＤチップ１０１が使用
できなくなるように構成されていることである。
つまり、紙を破いたりしてＲＦ−ＩＤチップ１０１を取り除こうとすると線材１０２が切断されＲＦ−ＩＤチップ１０１を構成する回路の一部が破壊される構成である。ここで、線材１０２は導電性の材料（例えば銅線など）を用いる。
【００７１】
また、埋め込まれたＲＦ−ＩＤチップを文書１０１から取り出すとＲＦ−ＩＤ内部の記録内容が変化する構成にしてもよい。その変化した状態（メモリに記録されている内容）を高機能印鑑が検出して押印許可の可否を押印者に通知する。このとき上記変化状態は、例えば制御部の判定部で判定してもよい。
【００７２】
上記構成により、押印を機械的にチェックまたは印字を抑止することが可能となっている。このため、二重チェックによる精度を上げながら、さらに大量の決済の押印などを正確に短時間で実現することが可能となる。
【００７３】
また、応用例として、物流に関する大量決済書類の半自動処理化が可能になる。
また、役所等における決済、承認など厳密な書類審査と正確な決済処理が可能となる。特にタイムスタンプ機能は印鑑とＲＦ−ＩＤチップを埋め込んだ紙の２つだけに絶対時刻が書かれることから、セキュリティー機能を強化することができる。
【００７４】
また、本発明は、上記実施の形態に限定されるものでなく、本発明の要旨を逸脱しない範囲内で種々の改良、変更が可能である。
【図面の簡単な説明】
【００７５】
【図１】実施例１の高機能印鑑とそのシステムの構成を示すブロック図である。
【図２】ＲＦ−ＩＤチップに記録されている識別情報の構造を示す図である。
【図３】実施例１の高機能印鑑の動作を示すフロー図である。
【図４】高機能印鑑の制御部に設けられたメモリのデータ構造を示す図である。
【図５】実施例２の押印防止機構を備えた高機能印鑑の構成を示す図である。
【図６】実施例３のタイムスタンプ機能を付加した高機能印鑑の構成を示す図である。
【図７】実施例４のＲＦ−ＩＤチップを埋め込んだ文書の識別情報に基づいて、印字パターンを変化させる高機能印鑑の構成を示す図である。
【図８】実施例５の発電部追加した高機能印鑑の構成を示す図である。
【図９】実施例６のスタンプ台に設けた非接点電力伝送装置から電力を供給する高機能印鑑とそのシステムの構成を示す図である。
【図１０】実施例７のＲＦ−ＩＤチップの回路の一部である線材を埋め込んだ文書の構成を示す図である。
【図１１】従来の印鑑システムの構成を示す図である。
【符号の説明】
【００７６】
１０      システム
１１      文書
１２      押印欄
１３      ＲＦ−ＩＤチップ
２１      高機能印鑑
２２      印鑑内蔵型リーダ部
２３      交信用アンテナ
２４      制御部
２５      印字面
２６      押印許可表示部
２７      メモリ内容送信部
２８      メモリ内容転送用アンテナ
２９      リーダ装置
２１０      データ処理装置
３１      高機能印鑑
３２      ストッパ部
３３      ストッパ駆動部
３４      ロック部
４１      高機能印鑑
４２      時計回路
４３      メモリ付きＲＦ−ＩＤチップ
５１      高機能印鑑
５２      可変パターン印字面
５３      可変パターン制御部
５５      メモリ付きＲＦ−ＩＤチップ
６１      高機能印鑑
６２      リング
６３      発電機
６４      アーム
７１      高機能印鑑
７２      スタンプ台
７３      非接点電力伝送装置
１０１      ＲＦ−ＩＤチップ
１０２      線材
【図１】
2008250692.tif 000003
【図２】
2008250692.tif 000004
【図３】
2008250692.tif 000005
【図４】
2008250692.tif 000006
【図５】
2008250692.tif 000007
【図６】
2008250692.tif 000008
【図７】
2008250692.tif 000009
【図８】
2008250692.tif 000010
【図９】
2008250692.tif 000011
【図１０】
2008250692.tif 000012
【図１１】
2008250692.tif 000013